(57)【要約】【課題】色盲者であっても、選択されている番組を視認できる電子番組表を表示することができる電子番組表表示装置を提供する。【解決手段】複数のチャンネルを示すチャンネルセル５ａと、各チャンネルで放送される番組を示す番組セル５ｂとを縦横配列してなる電子番組表５を表示し、録画予約又は視聴予約対象の番組を選択するようにしてある電子番組表表示装置に、選択された番組に係る番組セル５ｂの輝度を反復的に高低変化させる手段を備える。【選択図】図５
2008109296.tif 000002
【特許請求の範囲】
【請求項１】
放送される複数の番組に係るセルを配列してなる電子番組表を表示し、視聴又は録画に係る番組を選択するようにしてある電子番組表表示装置において、
時間を計時する計時手段と、
選択された番組のセルの輝度を、前記計時手段の計時結果に応じて反復的に高低変化させる手段と
を備えることを特徴とする電子番組表表示装置。
【請求項２】
チャンネルに係るセルを含む電子番組表を表示する手段と、
選択された番組を放送するチャンネルのセルを、前記計時手段の計時結果に応じて輝度が反復的に高低変化するカーソルにて表示する選択チャンネル表示手段と
を備えることを特徴とする請求項１に記載の電子番組表表示装置。
【請求項３】
前記選択チャンネル表示手段は、
選択された番組を放送するチャンネルのセル及び該チャンネルで放送される各番組のセルを囲む枠状のカーソルを表示するようにしてある
ことを特徴とする請求項２に記載の電子番組表表示装置。
【請求項４】
選択された番組の録画予約を受け付ける受付手段と、
該受付手段が受け付けた録画予約に係る番組のセルの輝度を、前記計時手段の計時結果に応じて反復的に高低変化させる手段と
を備えることを特徴とする請求項１乃至請求項３のいずれか一つに記載の電子番組表表示装置。
【請求項５】
所定信号を受信する受信手段を備え、
前記計時手段は、
前記受信手段が前記所定信号を受信している時間を計時するようにしてあり、
前記計時手段が所定時間を計時した場合、選択された番組のセルの輝度を、前記計時手段の計時結果に応じて反復的に高低変化させるようにしてある
ことを特徴とする請求項１乃至請求項４のいずれか一つに記載の電子番組表表示装置。
【請求項６】
所定信号を受信する受信手段を備え、
前記計時手段は、
前記受信手段が前記所定信号を受信している時間を計時するようにしてあり、
前記計時手段が所定時間を計時した場合、選択された番組のセル及びカーソルの輝度を、前記計時手段の計時結果に応じて反復的に高低変化させるようにしてある
ことを特徴とする請求項２乃至請求項４のいずれか一つに記載の電子番組表表示装置。
【請求項７】
所定信号を受信する受信手段を備え、
前記計時手段は、
前記受信手段が前記所定信号を受信している時間を計時するようにしてあり、
前記計時手段が所定時間を計時した場合、選択された番組及び録画予約に係る番組のセル、並びにカーソルの輝度を、前記計時手段の計時結果に応じて反復的に高低変化させるようにしてある
ことを特徴とする請求項４に記載の電子番組表表示装置。
【発明の詳細な説明】
【技術分野】
【０００１】
本発明は、電子番組表を表示し、視聴又は録画に係る番組を選択するようにしてある電子番組表表示装置に関する。
【背景技術】
【０００２】
電子番組表表示装置は、チャンネルを示した矩形のチャンネルセルと、放送される番組のタイトルを示した番組セルとを縦横配列してなる電子番組表を表示する。
【０００３】
図６は、従来の電子番組表表示装置が表示した電子番組表の模式図である。電子番組表は、縦方向に配列した複数のチャンネルセルを有しており、各チャンネルセルは「１  ○△放送」及び「２  ○×放送」の文字を表示している。「１  ○△放送」のチャンネルセルの右側には、「１  ○△放送」のチャンネルで放送される各番組のタイトル「プロ野球中継」、「ドラマ」、…、「○△ショッピング」を表示した番組セルが横方向に配列している。同様に、「２  ○×放送」のチャンネルセルの右側には、「２  ○×放送」のチャンネルで放送される各番組のタイトル「お笑い番組」、「クイズ番組」、「ドラマ」を表示した番組セルが横方向に配列している。
【０００４】
また、電子番組表表示装置は、所定処理対象の番組が選択された場合、選択された番組を示すセルの色を変化させるように構成されている。例えば、「プロ野球中継」の番組が選択された場合、該番組を示すセルの色を青色から黄色に変更し、他の番組のセルを青色で表示する。
【０００５】
一方、色盲者の視覚に対応したウェブページを表示すべく、ウェブページの表示スタイル、例えば配色、文字の大きさ、フォント等を選択可能に構成した情報提供システムが実現されている（例えば、特許文献１）。
【０００６】
また、ウェブページの配色を色盲者の視覚に対応した配色となるようにＣＳＳ（Cascading Style Sheets）ファイルの内容を変更する手段を備えたウェブクライアント装置が提案されている（例えば、特許文献２）。
【特許文献１】特開２００５−３１９８３号公報
【特許文献２】特開２００１−１４２６７３号公報
【発明の開示】
【発明が解決しようとする課題】
【０００７】
しかしながら、従来の電子番組表は、セルの色変化によって選択されている番組を表示するように構成されているため、色盲者は選択されている番組と他の番組とを識別できないという問題があった。
【０００８】
本発明は、斯かる事情に鑑みてなされたものであり、選択された番組のセルの輝度を反復的に高低変化させるように構成することにより、色盲者であっても、選択されている番組を視認できる電子番組表を表示することができる電子番組表表示装置を提供することを目的とする。
【０００９】
本発明の他の目的は、選択された番組を放送するチャンネルを、輝度が反復的に高低変化するカーソルにて表示するように構成することにより、色盲者であっても、選択されているチャンネルを視認できる電子番組表を表示することができる電子番組表表示装置を提供することにある。
【００１０】
本発明の他の目的は、選択された番組に係るチャンネルのセル及び該チャンネルで放送される各番組のセルを囲む枠状のカーソルを表示するように構成することにより、色盲者であっても、選択されている番組及びチャンネルを夫々視認できる電子番組表を表示することができる電子番組表表示装置を提供することにある。
【００１１】
本発明の他の目的は、録画予約に係る番組のセルの輝度を反復的に高低変化させるように構成することにより、色盲者であっても、録画予約されている番組を視認できる電子番組表を表示することができる電子番組表表示装置を提供することにある。
【００１２】
本発明の他の目的は、所定信号を所定時間以上受信した場合、例えば電子番組表を表示させるための電子番組表表示キーが長押しされた場合、選択された番組のセルの輝度を反復的に高低変化させるように構成することにより、選択された番組のセルの輝度が高低変化する電子番組表を、所定信号を所定時間与えることによって表示させることができる電子番組表表示装置を提供することにある。
【００１３】
本発明の他の目的は、所定信号を所定時間以上受信した場合、選択された番組のセル及びカーソルの輝度を反復的に高低変化させるように構成することにより、選択された番組のセル及びカーソルの輝度が高低変化する電子番組表を、所定信号を所定時間与えることによって表示させることができる電子番組表表示装置を提供することにある。
【００１４】
本発明の他の目的は、所定信号を所定時間以上受信した場合、選択された番組及び録画予約に係る番組のセル並びにカーソルの輝度を反復的に高低変化させるように構成することにより、選択された番組及び録画予約に係る番組のセル並びにカーソルの輝度が高低変化する電子番組表を、所定信号を所定時間与えることによって表示させることができる電子番組表表示装置を提供することにある。
【課題を解決するための手段】
【００１５】
本発明に係る電子番組表表示装置は、放送される複数の番組に係るセルを配列してなる電子番組表を表示し、視聴又は録画に係る番組を選択するようにしてある電子番組表表示装置において、時間を計時する計時手段と、選択された番組のセルの輝度を、前記計時手段の計時結果に応じて反復的に高低変化させる手段とを備えることを特徴とする。
【００１６】
本発明にあっては、視聴又は録画に係る番組のセルが選択された場合、該セルの輝度は反復的に高低変化する。
色盲者であっても輝度の高低変化は知覚できるため、輝度が高低変化するセル、つまり所定処理対象のセルを視認することができる。
【００１７】
本発明に係る電子番組表表示装置は、チャンネルに係るセルを含む電子番組表を表示する手段と、選択された番組を放送するチャンネルのセルを、前記計時手段の計時結果に応じて輝度が反復的に高低変化するカーソルにて表示する選択チャンネル表示手段とを備えることを特徴とする。
【００１８】
本発明にあっては、選択チャンネル表示手段は、選択された番組を放送するチャンネルを、輝度が反復的に高低変化するカーソルによって表示する。
色盲者であっても輝度の高低変化は知覚できるため、輝度が高低変化するカーソルを視認することができる。従って、選択されている番組のチャンネルを視認することができる。
【００１９】
本発明に係る電子番組表表示装置は、前記選択チャンネル表示手段は、選択された番組を放送するチャンネルのセル及び該チャンネルで放送される各番組のセルを囲む枠状のカーソルを表示するようにしてあることを特徴とする。
【００２０】
本発明にあっては、選択された番組を放送するチャンネルを表示するカーソルは、該チャンネルのセル及び該チャンネルで放送される各番組のセルを囲む枠状である。
従って、選択された番組のセルを輝度の高低変化によって表示すると共に、該番組に係るチャンネルを輝度が高低変化する枠状のカーソルによって表示することができる。
【００２１】
本発明に係る電子番組表表示装置は、選択された番組の録画予約を受け付ける受付手段と、該受付手段が受け付けた録画予約に係る番組のセルの輝度を、前記計時手段の計時結果に応じて反復的に高低変化させる手段とを備えることを特徴とする。
【００２２】
本発明にあっては、受付手段が録画予約を受け付けた場合、予約電子番組表示手段は、録画予約に係る番組のセルの輝度を反復的に高低変化させる。
色盲者であっても輝度の高低変化は知覚できるため、輝度が高低変化するセル、つまり録画予約に係る番組を視認することができる。
【００２３】
本発明に係る電子番組表表示装置は、所定信号を受信する受信手段を備え、前記計時手段は、前記受信手段が前記所定信号を受信している時間を計時するようにしてあり、前記計時手段が所定時間を計時した場合、選択された番組のセルの輝度を、前記計時手段の計時結果に応じて反復的に高低変化させるようにしてあることを特徴とする。
【００２４】
本発明にあっては、受信手段が所定信号を受信する。所定信号は、例えば、電子番組表を表示するためのキーが操作された遠隔操作装置から送信される信号である。
計時手段は所定信号を受信している時間を計時し、計時手段が所定時間を計時した場合、選択された番組のセルの輝度が反復的に高低変化する。例えば、前記キーが長押しされた場合、選択された番組のセルの輝度が反復的に高低変化する。
【００２５】
本発明に係る電子番組表表示装置は、所定信号を受信する受信手段を備え、前記計時手段は、前記受信手段が前記所定信号を受信している時間を計時するようにしてあり、前記計時手段が所定時間を計時した場合、選択された番組のセル及びカーソルの輝度を、前記計時手段の計時結果に応じて反復的に高低変化させるようにしてあることを特徴とする。
【００２６】
本発明にあっては、受信手段が所定信号を受信する。計時手段は所定信号を受信している時間を計時し、計時手段が所定時間を計時した場合、選択された番組のセル及びカーソルの輝度が反復的に高低変化する。
【００２７】
本発明に係る電子番組表表示装置は、所定信号を受信する受信手段を備え、前記計時手段は、前記受信手段が前記所定信号を受信している時間を計時するようにしてあり、前記計時手段が所定時間を計時した場合、選択された番組及び録画予約に係る番組のセル、並びにカーソルの輝度を、前記計時手段の計時結果に応じて反復的に高低変化させるようにしてあることを特徴とする。
【００２８】
本発明にあっては、受信手段が所定信号を受信する。計時手段は所定信号を受信している時間を計時し、計時手段が所定時間を計時した場合、選択された番組のセル及び録画予約に係る番組のセル並びにカーソルの輝度が反復的に高低変化する。
【発明の効果】
【００２９】
本発明によれば、色盲者であっても、セルの輝度の高低変化によって、選択されている番組を視認できる電子番組表を表示することができる。
【００３０】
本発明によれば、色盲者であっても、カーソルの輝度の高低変化によって、選択されているチャンネルを視認できる電子番組表を表示することができる。
【００３１】
本発明によれば、色盲者であっても、選択されている番組及びチャンネルを夫々視認できる電子番組表を表示することができる。
【００３２】
本発明によれば、色盲者であっても、セルの輝度の高低変化によって、録画予約されている番組を視認できる電子番組表を表示することができる。
【００３３】
本発明によれば、所定信号を所定時間与えることによって、選択された番組のセルの輝度が反復的に高低変化する電子番組表を表示させることができる。
【００３４】
本発明によれば、所定信号を所定時間与えることによって、選択された番組のセル、及び選択された番組に係るチャンネルを選択するカーソルの輝度が反復的に高低変化する電子番組表を表示させることができる。
【００３５】
本発明によれば、所定信号を所定時間与えることによって、選択された番組及び録画予約に係る番組のセル、並びに選択された番組を放送するチャンネルを選択するカーソルの輝度が反復的に高低変化する電子番組表を表示させることができる。
【発明を実施するための最良の形態】
【００３６】
以下、本発明をその実施の形態を示す図面に基づいて詳述する。
図１は、本発明の実施の形態に係る映像表示装置の構成を示すブロック図である。
図中１は、映像表示装置（電子番組表表示装置）であり、映像表示装置１はデジタルチューナ１１を備えている。デジタルチューナ１１は、アンテナＡで受信したＲＦ信号を増幅して特定チャンネルの信号を選択し、選択した信号を復調部１２に与える。
【００３７】
デジタルチューナ１１から与えられた信号は、ＯＦＤＭ（Orthogonal Frequency Division Multiplexing）方式で変調されており、復調部１２は、前記信号を、ＭＰＥＧ２ＴＳ（Transport Stream）形式のストリームデータに復調し、復調したストリームデータを分離部１３に与える。
【００３８】
ＴＳ形式のストリームデータは、複数のパケットから構成されている。パケットは、番組を構成する時系列順のビデオデータ及び音声データ、並びに番組配列情報（SI:Service Information）等をパケット化したものであり、複数のパケットから、時系列順のビデオデータ及び音声データが復元される。
【００３９】
分離部１３は、ストリームデータから一の番組のビデオデータ及び音声データに係るパケットを選択し、選択したパケットからなるビデオデータ及び音声データを、夫々図示しないビデオバッファ及び音声バッファに与える。ビデオバッファ及び音声バッファは、分離部１３から与えられたビデオデータ及び音声データを夫々所定のタイミングでビデオデコーダ１４及び音声デコーダ１５に与える。
また、分離部１３は、ストリームデータに含まれる番組配列情報に係るパケットを選択し、選択したパケットからなる番組配列情報をＥＰＧ（Electronic Program Guide）デコーダ１６に与える。番組配列情報は、放送される番組のタイトル、チャンネル、放送開始時刻、放送終了時刻、及びジャンル等の情報を有している。
【００４０】
ＥＰＧデコーダ１６は、分離部１３から与えられた番組配列情報に基づいて、電子番組表５（図５参照）の画像データを生成し、生成した電子番組表５の画像データをＯＳＤ（On Screen Display）表示処理部１７に与える。ＥＰＧデコーダ１６及びＯＳＤ表示処理部１７による電子番組表５の表示処理は、制御部２１によって制御される。
【００４１】
ビデオデコーダ１４は、ビデオバッファから与えられたビデオデータを、ＭＰＥＧ２の圧縮伸張方式に従って復調し、復調したビデオデータをＯＳＤ表示処理部１７に与える。
【００４２】
ＯＳＤ表示処理部１７は、ビデオデコーダ１４から与えられたビデオデータの映像に、ＥＰＧデコーダ１６又は制御部２１から与えられた画像データの映像をＯＳＤ表示させたビデオデータを生成し、生成したビデオデータを、所定のタイミングで表示部１８及び出力部２０に与える。
【００４３】
音声デコーダ１５は、音声バッファから与えられた音声データを、所定の圧縮伸張方式、例えばＡＡＣ（Advanced Audio Coding）の圧縮伸張方式に従って復調し、復調した音声データを、所定のタイミングでスピーカ１９及び出力部２０に与える。
【００４４】
表示部１８は、例えば液晶表示パネル、バックライト、駆動回路等から構成されており、ＯＳＤ表示処理部１７から与えられたビデオデータに基づいて、映像又は電子番組表５を表示する。
【００４５】
スピーカ１９は、音声デコーダ１５から与えられた音声データに基づいて音声を出力する。
【００４６】
出力部２０は、例えばＩＥＥＥ１３９４規格のインタフェースであり、映像データ、音声データ、録画を開始させる録画開始信号、録画を停止させる録画停止信号等を録画装置４に与える。
【００４７】
録画装置４は、例えばハードディスクレコーダであり、出力部２０から録画開始信号が与えられた場合、映像データ及び音声データをハードディスクレコーダに記録し、出力部２０から録画停止信号が与えられた場合、映像データ及び音声データの記録を停止する。
【００４８】
制御部２１は、ＣＰＵ、ＲＯＭ、ＲＡＭ等を備えたマイクロコンピュータからなり、各種ハードウェアに制御信号を与えて動作を制御する。制御部２１には、遠隔操作装置３から送信される赤外光の信号を受信する受信部２２、計時部２３等が設けられている。
【００４９】
遠隔操作装置３は、電子番組表表示キー３ａ、十字キー３ｂ、決定キー３ｃ、キャンセルキー３ｄ、及び図示しない電源キー、チャンネルキー等を有しており、各種キーの操作に応じた赤外線の信号を送信する。受信部２２は、遠隔操作装置３から送信された赤外線の信号を受信し、各種キーの操作状態を検出するように構成されている。例えば、チャンネルキーの操作に応じた信号を受信した場合、制御部２１は、操作されたチャンネルキーに対応するチャンネルを記憶し、該チャンネルをデジタルチューナに選択させる。
【００５０】
図２乃至図４は、色盲者用の電子番組表５の表示に係る制御部２１の処理手順を示すフローチャート、図５は、色盲者用の電子番組表５を示す模式図である。
制御部２１は、受信部２２が受信する信号を監視することで、電子番組表表示キー３ａが押下されたか否かを判定する（ステップＳ１１）。電子番組表表示キー３ａが押下されていないと判定した場合（ステップＳ１１：ＮＯ）、制御部２１は、処理をステップＳ１１へもどす。
【００５１】
電子番組表表示キー３ａが押下されていると判定した場合（ステップＳ１１：ＹＥＳ）、制御部２１は、計時部２３に計時を開始させる（ステップＳ１２）。
【００５２】
そして、制御部２１は、電子番組表表示キー３ａが押下されたか否かを判定する（ステップＳ１３）。電子番組表表示キー３ａが押下されていないと判定した場合（ステップＳ１３：ＮＯ）、制御部２１は、表示フラグＦに０を設定する（ステップＳ１４）。表示フラグＦは、色盲者の視覚に対応した電子番組表５を表示するか否かを示すフラグである。
【００５３】
ステップＳ１３で電子番組表表示キー３ａが押下されていると判定した場合（ステップＳ１３：ＹＥＳ）、制御部２１は、計時部２３の計時結果に基づいて所定時間が経過したか否かを判定する（ステップＳ１５）。所定時間が経過していないと判定した場合（ステップＳ１５：ＮＯ）、制御部２１は、処理をステップＳ１３へ戻す。所定時間が経過したと判定した場合（ステップＳ１５：ＹＥＳ）、制御部２１は、表示フラグＦに１を設定し（ステップＳ１６）、計時部２３に計時を開始させる（ステップＳ１７）。
【００５４】
ステップＳ１７又はステップＳ１４の処理を終えた場合、制御部２１は、ＥＰＧデコーダ１６に、番組配列情報を取得させ（ステップＳ１８）、取得した番組配列情報に基づいて電子番組表５を作成させる（ステップＳ１９）。そして、制御部２１は、生成した電子番組表５をＯＳＤ表示処理部１７に表示させる（ステップＳ２０）。
【００５５】
電子番組表５は、縦方向に配列した複数のチャンネルセル５ａを有しており、各チャンネルセル５ａは「１  ○△放送」及び「２  ○×放送」の文字を表示している。「１  ○△放送」のチャンネルセル５ａの横側には、「１  ○△放送」のチャンネルで放送される各番組のタイトル「プロ野球中継」、「ドラマ」、…、「○△ショッピング」を表示した番組セル５ｂが横方向に、放送時刻順で配列している。同様に、「２  ○×放送」のチャンネルセル５ａの右側には、「２  ○×放送」のチャンネルで放送される各番組のタイトル「お笑い番組」、「クイズ番組」、「ドラマ」を表示した番組セル５ｂが横方向に放送時刻順で配列している。
【００５６】
次いで、制御部２１は、選択されている番組のチャンネルを示すカーソル５ｃをＯＳＤ表示処理部１７に表示させる（ステップＳ２１）。カーソル５ｃは、図５に示すように、一のチャンネルセル５ａ及び該チャンネルセル５ａの横方向に配列した番組セル５ｂを囲む矩形の枠状である。
【００５７】
次いで、制御部２１は、図３に示すように表示フラグＦが１であるか否かを判定する（ステップＳ２２）。表示フラグが１であると判定した場合（ステップＳ２２：ＹＥＳ）、制御部２１は、計時部２３が所定時間を計時したか否かを判定する（ステップＳ２３）。
【００５８】
計時部２３が所定時間を計時したと判定した場合（ステップＳ２３：ＹＥＳ）、制御部２１は、図５（ａ）、（ｂ）に示すように、選択されている番組を示した番組セル５ｂの輝度を高低変化させる（ステップＳ２４）。ハッチングが付された番組セル５ｂは高輝度の状態であり、ハッチングが付されていない番組セル５ｂは低輝度の状態である。選択されている番組は、制御部２１が一時記憶している。初期状態における制御部２１は、現在選局されているチャンネルの番組を選択されている番組として一時記憶しており、後述するように十字キー３ｂが押下された場合、他の番組を記憶する。そして、制御部２１は、図５（ａ）、（ｂ）に示すように、選択されているチャンネルを示すカーソル５ｃの輝度を高低変化させる（ステップＳ２５）。ハッチングが付されたカーソル５ｃは高輝度の状態であり、ハッチングが付されていないカーソル５ｃは低輝度の状態である。
【００５９】
次いで、制御部２１は、図５（ａ）、（ｂ）に示すように、録画予約済みの番組を示す番組セル５ｂの輝度を高低変化させる（ステップＳ２６）。録画予約済みの番組は、制御部２１が記憶しており、該番組は、後述のステップＳ３４で受け付けるように構成されている。そして、制御部２１は、計時部２３をリセットする（ステップＳ２７）。
【００６０】
ステップＳ２７の処理を終えた場合、ステップＳ２２で表示フラグが１でないと判定した場合（ステップＳ２２：ＮＯ）、又はステップＳ２３で計時部２３が所定時間を計時していないと判定した場合（ステップＳ２３：ＮＯ）、制御部２１は、十字キー３ｂが押下されたか否かを判定する（ステップＳ２８）。十字キー３ｂが押下されたと判定した場合（ステップＳ２８：ＹＥＳ）、制御部２１は、選択されている番組セル５ｂに隣接する他の番組セル５ｂの番組を選択する（ステップＳ２９）。
【００６１】
ステップＳ２９の処理を終えた場合、又は十字キー３ｂが押下されていないと判定した場合（ステップＳ２８：ＮＯ）、制御部２１は、決定キー３ｃが押下されているか否かを判定する（ステップＳ３０）。
【００６２】
決定キー３ｃが押下されていると判定した場合（ステップＳ３０：ＹＥＳ）、制御部２１は、視聴予約を実行するか否かを判定する（ステップＳ３１）。例えば、制御部２１は、視聴予約ボタン、録画予約ボタン、キャンセルボタンをＯＳＤ表示させ、各ボタンの選択を十字キー３ｂ及び決定キー３ｃで受け付けることによって、視聴予約を実行するか否かを判定する。視聴予約を実行すると判定した場合（ステップＳ３１：ＹＥＳ）、制御部２１は、視聴予約処理を実行する（ステップＳ３２）。具体的には、制御部２１は、視聴予約対象の番組を記憶し、該番組の放送時刻にデジタルチューナが起動するように、図示しないタイマーをセットする。
【００６３】
ステップＳ３２の処理を終えた場合、又は視聴予約を実行しないと判定した場合（ステップＳ３１：ＮＯ）、制御部２１は、録画予約を実行するか否かを判定する（ステップＳ３３）。
【００６４】
録画予約を実行すると判定した場合（ステップＳ３３：ＹＥＳ）、制御部２１は、録画予約処理を実行する（ステップＳ３４）。具体的には、制御部２１は、録画予約対象の番組を記憶し、該番組の放送時刻にデジタルチューナが起動するように、図示しないタイマーをセットする。ステップＳ３４の処理を終えた場合、又は録画予約を実行しないと判定した場合（ステップＳ３３：ＮＯ）、制御部２１は、キャンセルを実行するか否かを判定する（ステップＳ３５）。キャンセルを実行しないと判定した場合（ステップＳ３５：ＮＯ）、制御部２１は、処理をステップＳ３１へ戻す。
【００６５】
キャンセルを実行すると判定した場合（ステップＳ３５：ＹＥＳ）、制御部２１は、電子番組表表示キー３ａが押下されたか否かを判定する（ステップＳ３６）。電子番組表表示キー３ａが押下されていないと判定した場合（ステップＳ３６：ＮＯ）、制御部２１は、処理をステップＳ１９へ戻す。電子番組表表示キー３ａが押下されていると判定した場合（ステップＳ３６：ＹＥＳ）、制御部２１は、電子番組表５の表示に係る処理を終える。
【００６６】
このように構成された映像表示装置１にあっては、選択されている番組に係る番組セル５ｂの輝度は、反復的に高低するため、色盲者であっても、選択されている番組セル５ｂを視認できる。
【００６７】
また、カーソル５ｃの輝度も反復的に高低するため、色盲者であっても、選択された番組に係るチャンネルをカーソル５ｃにて視認できる。
【００６８】
更に、選択されている番組に係るセル並びに、チャンネルセル５ａ及び番組セル５ｂを囲むカーソル５ｃの輝度を高低変化させるため、色盲者であっても、選択されている番組及びチャンネルを夫々視認できる。
【００６９】
更にまた、録画予約されている番組に係る番組セル５ｂの輝度を高低変化させるため、色盲者であっても、録画予約された番組を視認できる。
【００７０】
更にまた、メニューによる特別な設定を行うことなく、電子番組表表示キー３ａを長押しすることで簡易に色盲者用の電子番組表５を表示し、電子番組表表示キー３ａを短時間押下することで正常色覚者用の電子番組表５を表示させることができる。
【００７１】
実施の形態にあっては、番組セル及びカーソルが点滅するように輝度を変化させる構成であるが、連続的に輝度が変化するように構成しても良い。
【００７２】
番組セル全体の輝度を高低させるように構成してあるが、番組セルの一部、例えば枠部の輝度のみを高低させるように構成しても良い。
【００７３】
カーソルは、チャンネルセル及び番組セルを囲む枠状であるが、選択されているチャンネルを示すことができるのであれば、他の形状であっても良い。
【００７４】
電子番組表を表示する表示部を備えた映像表示装置に本発明を適用した実施の形態を説明したが、番組の映像を録画可能な録画装置、例えばハードディスクレコーダ、ＤＶＤレコーダ等に本発明を適用しても良い。
【００７５】
電子番組表表示キーが押下された場合、番組セル及びカーソルの輝度を高低させる色盲者用の電子番組表を表示するように構成してあるが、他の方法で該電子番組表を表示するように構成しても良い。例えば、色盲者用の電子番組表を表示させるための専用の表示キーを備えるように構成しても良い。
【図面の簡単な説明】
【００７６】
【図１】本発明の実施の形態に係る映像表示装置の構成を示すブロック図である。
【図２】色盲者用の電子番組表の表示に係る制御部の処理手順を示すフローチャートである。
【図３】色盲者用の電子番組表の表示に係る制御部の処理手順を示すフローチャートである。
【図４】色盲者用の電子番組表の表示に係る制御部の処理手順を示すフローチャートである。
【図５】色盲者用の電子番組表を示す模式図である。
【図６】従来の電子番組表表示装置が表示した電子番組表の模式図である。
【符号の説明】
【００７７】
Ａ  アンテナ
１  映像表示装置
３  遠隔操作装置
３ａ  電子番組表表示キー
３ｂ  十字キー
３ｃ  決定キー
３ｄ  キャンセルキー
４  録画装置
５  電子番組表
５ａ  チャンネルセル
５ｂ  番組セル
５ｃ  カーソル
１１  デジタルチューナ
１２  復調部
１３  分離部
１４  ビデオデコーダ
１５  音声デコーダ
１６  ＥＰＧデコーダ
１７  ＯＳＤ表示処理部
１８  表示部
１９  スピーカ
２０  出力部
２１  制御部
２２  受信部
２３  計時部
【図１】
2008109296.tif 000003
【図２】
2008109296.tif 000004
【図３】
2008109296.tif 000005
【図４】
2008109296.tif 000006
【図５】
2008109296.tif 000007
【図６】
2008109296.tif 000008